(57)【特許請求の範囲】
【請求項１】
縦方向に起立する板状の本体と、本体の内側から横方向に張出した隙間塞ぎ板とからなり、本体の前後両サイド外側面に略々くの字状のブラケットの下部を固定又は回転自在に結合し、隙間塞ぎ板の基端が本体に対して固定又は回転自在に結合されると共に先端が水平又は斜め下方に向けて傾斜しながら張出し、本体の外側面にブラケットに対向するガイド板を設け、本体とガイド板との間でブラケットを保持しながら当該ブラケットを回転自在にし、ガイド板の外端にフックが設けられていることを特徴とする巾木。
【請求項２】
脚柱と横架材とからなる建枠を多数起立し、横架材間に足場板を長手方向に沿って多数架設し、各足場板の左右両側に巾木を起立している枠組足場において、巾木が縦方向に起立する板状の本体と、本体の内側から横方向に張出した隙間塞ぎ板とからなり、本体の前後両サイド外側面に略々くの字状のブラケットの下部を固定又は回転自在に結合し、隙間塞ぎ板の基端が本体に対して固定又は回転自在に結合されると共に先端が水平又は斜め下方に向けて傾斜しながら張出し、本体の外側面にブラケットに対向するガイド板を設け、本体とガイド板との間でブラケットを保持しながら当該ブラケットを回転自在にし、ガイド板の外端にフックが設けられていることを特徴とする枠組足場。
【発明の詳細な説明】
【０００１】
【発明の属する技術分野】
本発明は、建築現場，土木工事現場等において作業用，歩行用に使用する枠組足場とこの枠組足場に使用される巾木に関する。
【０００２】
【従来の技術】
一般に建築・土木工事現場では脚柱と横架材とからなる建枠を多数並行に起立し、各横架材間には長手方向に沿って多数の足場板を架設し、又隣接する脚柱同士はＸ字状のブレスを介して結合され、足場板上で作業者が歩行し作業を行うようしている。更に足場板の左右両サイドは脚柱との間に隙間が発生している為この隙間から工具，建築材等が落下するのを防止するため足場板に沿って巾木を設けているのが普通である。
【０００３】
【発明が解決しようとする課題】
上記従来の枠組足場では足場板の両サイドに巾木を設けているが、この巾木は脚柱に対して番線で結合したり、クランプを使用したり、又は楔を利用した継手を介して脚柱に結合しているのが普通である。しかしながら、巾木を上記の手段で脚柱に結合する場合、巾木自体の構造が複雑となったり、上記手段の着脱作業が面倒であったり、構造が複雑だったりしており作業性に劣り、コストアップにもなっている。
【０００４】
そこで、本発明の目的は、構造が複雑とならず、着脱作業も容易でコストダウンを図れる巾木とこの巾木を利用した枠組足場を提供することである。
【０００５】
【課題を解決するための手段】
上記の目的を達成するため、本発明の巾木の手段は、縦方向に起立する板状の本体と、本体の内側から横方向に張出した隙間塞ぎ板と、からなる巾木において、本体の前後両サイド外側面に略々くの字状のブラケットの下部を固定又は回転自在に結合したことを特徴とするものである。
【０００６】
この場合、隙間塞ぎ板の基端が本体に対して固定又は回転自在に結合されると共に先端が水平又は斜め下方に向けて傾斜しながら張出しているのが好ましい。
【０００７】
同じく、本体の外側面にブラケットに対向するガイド板を設け、本体とガイド板との間でブラケットを保持しながら当該ブラケットを回転させるのが好ましい。
【０００８】
更に、このガイド板の外端にフックを設けているのが好ましい。
【０００９】
同じく、本発明の枠組足場の手段は、脚柱と横架材とからなる建枠を多数起立し、横架材間に足場板を長手方向に沿って多数架設し、各足場板の左右両側に巾木を起立している枠組足場に於て、巾木が縦方向に起立する板状本体と、本体から横方向に張出して足場板上に配設された隙間塞ぎ板と、本体の外側面の前後両サイドに回転自在に結合したブラケットとで構成され、上記ブラケットを介して本体が脚柱に着脱自在に取付けられていることを特徴とするものである。
【００１０】
【発明の実施の形態】
以下、本発明の実施の形態を図にもとづいて説明する。
【００１１】
図１乃至図６は本発明の一実施の形態に係る巾木とこの巾木を利用した枠組足場を示す。
【００１２】
枠組足場Ｂは図１に示すように、脚柱６と脚柱６間に架設した横架材７とで構成した建枠８を有し、この建枠８を多数起立し、各建枠８間に横架材７を介して長手方向に沿って足場板９を多数架設し、更に各足場板９の左右両サイドに巾木Ａを配設している。
【００１３】
足場板９は前後両サイドにフック１０を有し、このフック１０を介して横架材７に着脱自在に引掛られている。
【００１４】
フック１０を横架材７に引掛けた時、隣接する足場板９，９間には隙間が発生する場合があるが、この場合には、この隙間に対応して隙間塞ぎ用の板が配設される。
【００１５】
隣接する建枠８，８同士はＸ字状のブレス１２で結合され、これにより建枠８が常時起立できるようになっている。
【００１６】
巾木Ａは、図２，図３に示すように、縦方向に起立する板状本体１と、本体１の内側から横方向に張出した隙間塞ぎ板２とからなり、更に本体１の前後両サイド外側面に略々くの字のブラケット３の下部が回転自在に軸支されている。本体１の上部には長手方向に沿って断面四角形状の補強部１３が板体を折り曲げて形成されている。
【００１７】
隙間塞ぎ板２は図３に示すように水平に張出しても良く、斜め下方に向けて傾斜させても良い。
【００１８】
隙間塞ぎ板２の基端は図示のように本体１に固定しても良く、ヒンジ等を介して回転自在に結合しても良い。本体１と隙間塞ぎ板２の表面には補強用のリブＲが形成されている。
【００１９】
隙間塞ぎ板２の長手方向の長さは本体１より短かく成形され、これにより隙間塞ぎ板２の前後両端には隙間１４が形成され、フック１０が隙間塞ぎ板２と干渉しないようにしている。
【００２０】
ブラケット３は図３，図４に示すように、垂直片３ａとこの垂直片３ａに一体に連設した傾斜片３ｂとからなり、傾斜片３ｂの下部が長孔３ｃに挿入した軸１５を介して回転自在に本体１に結合されている。
【００２１】
本体１の外側面にはブラケット３に対向してこのブラケット３を挾むようにガイド板４を設け、本体１とガイド板４との間でブラケット３を保持しながら当該ブラケット３を回転させるようにしている。ガイド板４は両端が固定されながら中央部が外方に膨出して本体１との間に隙間５を形成している。
【００２２】
更に図６に示すように、ガイド板４の外端にはフックＨ１，Ｈ２が形成され、隣接する巾木Ａ，ＡはこれらのフックＨ１，Ｈ２を嵌合させることにより長手方向に接続される。
【００２３】
巾木Ａを足場板９の左右両サイドに取付ける場合には、本体１を足場板９の左右両サイドに起立し、隙間塞ぎ板２を足場板９上に配設し、次いでブラケット３のピン孔３ｄをブレス止め用の止め具１９に差し込み脚柱６に結合する。隙間塞ぎ板２が足場板９上に当接していることにより、足場板９の左右両サイドの隙間が塞がれ、足場板９から工具，ごみ等が下方に落下するのが防止される。
【００２４】
足場板９に沿って多数の巾木Ａを直列に配置する場合は脚柱６に対して隣接する巾木Ａの各ブラケット３の垂直片３ａが重ねて結合され、傾斜片３ｂは重ねられないように傾斜している。
【００２５】
図７は本発明の他の実施の形態に係る巾木を示す。この巾木は本体１と本体１の内側下部に隙間塞ぎ板２を回転自在な結合機構１７を介して結合したものである。隙間塞ぎ板２は使用時に水平又は斜め下方に傾斜し、不使用時には上方に回転させて本体１に沿って格納されるようになっている。
【００２６】
結合機構１７は巾木本体１の下部に内側に設けた下向きのＬ状ピン１８からなり、ピン１８に隙間塞ぎ板２の基端に形成した孔を挿入し、ピン１８に沿って矢印Ｙ方向に回転させるものである。隙間塞ぎ板２が本体１に沿って起立した時は保持金具２０で保持するものである。
【００２７】
【発明の効果】
本発明によれば、次の効果が得られる。
【００２８】
(1) 各請求項の発明によれば、巾木とこの巾木を利用した枠組足場は、巾木がその本体に簡単なブラケットを設けているだけであり、このブラケットを利用して脚柱に着脱できるようにしているから、巾木自体の構造が簡単であり、脚柱に対する着脱作業が容易となり、加工性，組付性が向上し、コストダウンを図れる。
【００２９】
(2) 請求項１，２の発明によれば、隙間塞ぎ板が本体から横方向に張出しているから、この隙間塞ぎ板を足場板上に配設でき、足場板の左右両サイドの隙間を塞ぐことができ、工具，ごみ等が下方に落下するのが防止できて安全である。
【００３０】
(3) 請求項３の発明によれば、ブラケットを巾木本体とガイド板とで保持しているから、巾木の弛み、振れが防止できる。
【００３１】
(4) 請求項４の発明によれば、隣接する二つの巾木同志がフックを介して長手方向に結合でき、巾木が安定する。
【図面の簡単な説明】
【図１】本発明の一実施の形態に係る枠組足場の斜視図である。
【図２】図１の一部拡大斜視図である。
【図３】本発明の一実施の形態に係る巾木の斜視図である。
【図４】図１の一部拡大右側面図である。
【図５】図１の一部拡大正面図である。
【図６】巾木の拡大平面図である。
【図７】他の実施の形態に係る巾木とブラケットの正面図である。
【符号の説明】
１  本体
２  塞ぎ板
３  ブラケット
４  ガイド板
５  隙間
６  脚柱
７  横架材
８  建枠
９  足場板
Ａ  巾木
Ｂ  枠組足場
Ｈ１，Ｈ２  フック
【図１】
0004611546.tif 000002
【図２】
0004611546.tif 000003
【図３】
0004611546.tif 000004
【図４】
0004611546.tif 000005
【図５】
0004611546.tif 000006
【図６】
0004611546.tif 000007
【図７】
0004611546.tif 000008